(57)【要約】【課題】  下段部の操作面を露出させるために後進させたカバーがケーシングから不測に外れないようにすること。【解決手段】  ケーシング１の上部が上段部１Ａと下段部１Ｂとに分けられ、該下段部１Ｂの両側縁にガイド溝４が形成され、カバー５の両側縁に各ガイド溝４に嵌入可能な突条部６が形成され、該各突条部６の中央を切欠いて切欠部７を形成することにより、その各突条部６が前後に２分割され、下段部１Ｂの上面の後側にストッパ９が一体突設され、該ストッパ９に対向してカバー５の下面に当たり板１３が一体突設され、ストッパ９の前面中央から前側に所定間隔αだけ延びるストッパ分岐部９ａがケーシング１に一体突設されており、カバーを後進ｂさせ各後側突条部６ｂが各ガイド溝４から離脱する直前に当たり板１３がストッパ分岐部９ａに当たってカバー５の後進ｂを阻止する。【選択図】        図４
0003110953.tif 000002
【実用新案登録請求の範囲】
【請求項１】
遠隔操作部を内蔵した合成樹脂製矩形箱状ケーシングの上部が上段部と下段部とに分け
られ、該下段部の両側縁にガイド溝が形成されると共に、その下段部を覆う合成樹脂製カ
バーの両側縁に前記各ガイド溝に嵌入可能な突条部が形成され、該各突条部の中央を切欠
いて切欠部を形成することにより、その各突条部が前後に２分割され、前記下段部の上面
の前側に操作面が形成されると共に、その下段部の上面の後側にストッパが一体突設され
、該ストッパに対向して前記カバーの下面に当たり板が一体突設されており、各前側突条
部を各ガイド溝に嵌入させ、カバーを前進させて当たり板がストッパを越えた後に各後側
突条部を各ガイド溝に嵌入させ、カバーをさらに前進させて下段部の操作面を覆うように
形成され、その覆っている状態からカバーを当たり板がストッパに当たるまで後進させて
下段部の操作面を露出させるようにした遠隔操作装置において、前記カバーを後進させて
下段部の操作面を露出させた後に各後側突条部が各ガイド溝から離脱する直前に該カバー
の後進を阻止する後進阻止手段が設けられ、該後進阻止手段が、前記ストッパから前側に
所定間隔だけ延びてケーシングに一体突設されたストッパ分岐部からなっており、カバー
を後進させ各後側突条部が各ガイド溝から離脱する直前に当たり板がストッパ分岐部に当
たってカバーの後進を阻止するようにしたことを特徴とする遠隔操作装置。
【請求項２】
遠隔操作部を内蔵した合成樹脂製矩形箱状ケーシングの上部が上段部と下段部とに分け
られ、該下段部の両側縁にガイド溝が形成されると共に、その下段部を覆う合成樹脂製カ
バーの両側縁に前記各ガイド溝に嵌入可能な突条部が形成され、該各突条部の中央を切欠
いて切欠部を形成することにより、その各突条部が前後に２分割され、前記下段部の上面
の前側に操作面が形成されると共に、その下段部の上面の後側にストッパが一体突設され
、該ストッパに対向して前記カバーの下面に当たり板が一体突設されており、各前側突条
部を各ガイド溝に嵌入させ、カバーを前進させて当たり板がストッパを越えた後に各後側
突条部を各ガイド溝に嵌入させ、カバーをさらに前進させて下段部の操作面を覆うように
形成され、その覆っている状態からカバーを当たり板がストッパに当たるまで後進させて
下段部の操作面を露出させるようにした遠隔操作装置において、前記カバーを後進させて
下段部の操作面を露出させた後に各後側突条部が各ガイド溝から離脱する直前に該カバー
の後進を阻止する後進阻止手段が設けられ、該後進阻止手段が、前記当たり板から後側に
所定間隔だけ延びてカバーに一体突設された当たり板分岐部からなっており、カバーを後
進させ各後側突条部が各ガイド溝から離脱する直前に当たり板分岐部がストッパに当たっ
てカバーの後進を阻止するようにしたことを特徴とする遠隔操作装置。
【請求項３】
遠隔操作部を内蔵した合成樹脂製矩形箱状ケーシングの上部が上段部と下段部とに分け
られ、該下段部の両側縁にガイド溝が形成されると共に、その下段部を覆う合成樹脂製カ
バーの両側縁に前記各ガイド溝に嵌入可能な突条部が形成され、該各突条部の中央を切欠
いて切欠部を形成することにより、その各突条部が前後に２分割され、前記下段部の上面
の前側に操作面が形成されると共に、その下段部の上面の後側にストッパが一体突設され
、該ストッパに対向して前記カバーの下面に当たり板が一体突設されており、各前側突条
部を各ガイド溝に嵌入させ、カバーを前進させて当たり板がストッパを越えた後に各後側
突条部を各ガイド溝に嵌入させ、カバーをさらに前進させて下段部の操作面を覆うように
形成され、その覆っている状態からカバーを当たり板がストッパに当たるまで後進させて
下段部の操作面を露出させるようにした遠隔操作装置において、前記カバーを後進させて
下段部の操作面を露出させた後に各後側突条部が各ガイド溝から離脱する直前に該カバー
の後進を阻止する後進阻止手段が設けられていることを特徴とする遠隔操作装置。
【請求項４】
前記後進阻止手段が、前記ストッパから前側に所定間隔だけ延びてケーシングに一体突
設されたストッパ分岐部からなっており、カバーを後進させ各後側突条部が各ガイド溝か
ら離脱する直前に当たり板がストッパ分岐部に当たってカバーの後進を阻止するようにし
たことを特徴とする請求項３に記載の遠隔操作装置。
【請求項５】
前記後進阻止手段が、前記当たり板から後側に所定間隔だけ延びてカバーに一体突設さ
れた当たり板分岐部からなっており、カバーを後進させ各後側突条部が各ガイド溝から離
脱する直前に当たり板分岐部がストッパに当たってカバーの後進を阻止するようにしたこ
とを特徴とする請求項３に記載の遠隔操作装置。
【請求項６】
前記後進阻止手段が、当初の位置から後側に所定間隔だけ位置ずれさせた当たり板から
なっており、カバーを後進させ各後側突条部が各ガイド溝から離脱する直前に当たり板が
ストッパに当たってカバーの後進を阻止するようにしたことを特徴とする請求項３に記載
の遠隔操作装置。
【考案の詳細な説明】
【技術分野】
【０００１】
本考案は、例えばリモコンなどの遠隔操作装置に関し、特に、操作面を露出させるため
に後進させたカバーがケーシングから不測に外れないようにするものである。
【背景技術】
【０００２】
従来、例えばリモコンなどの遠隔操作装置の技術として特許文献１などに記載したもの
があり、その一例を図８〜図１２に基づいて説明すると、これは、遠隔操作部を内蔵した
合成樹脂製矩形箱状ケーシング１の上部が上段部１Ａと下段部１Ｂとに分けられ、該上段
部１Ａの上面に多数の操作釦２ａを備えた操作面２が形成されると共に、その先端面に赤
外線投射孔３が形成されている。
【０００３】
前記下段部１Ｂの両側縁にガイド溝４が形成されると共に、その下段部１Ｂを覆う合成
樹脂製カバー５の両側縁に前記各ガイド溝４に前後進ａ，ｂ可能に嵌入する突条部６が形
成され、該各突条部６の中央を切欠いて切欠部７を形成することにより、その各突条部６
が前側突条部６ａと後側突条部６ｂとに２分割され、前記下段部１Ｂの上面の前側に多数
の操作釦８ａを備えた操作面８が形成されると共に、その下段部１Ｂの上面の後端に前後
進方向ａ，ｂとは直交する左右方向ｃ，ｄに沿ってストッパ９が一体突設され、該ストッ
パ９の両端から後側に延びて上面を斜め下向きに傾斜させた一対の三角形状ガイド片１０
が一体突設され、下段部１Ｂの上面の操作面８とストッパ９との間に開閉蓋１１ａ付き電
池収納凹部１１が形成されている。
【０００４】
前記ストッパ９に対向してカバー５の下面に左右方向ｃ，ｄの沿って当たり板１３が一
体突設されている。なお、１４はカバー５の下面に一体突設した補強リブである。
【０００５】
カバー５の嵌合手順を説明すると、図１３に示すように、各前側突条部６ａを各ガイド
溝４に嵌入させ、カバー５を前進ａさせて当たり板１３がガイド片１０の傾斜状上面に当
たるときには、各後側突条部６ｂが各ガイド溝４に嵌入していないので、当たり板１３が
ガイド片１０の傾斜状上面に沿ってストッパ９上まで押し上げられることにより、カバー
５の後部が持ち上げられ〔図１３（ａ）仮想線参照〕、その当たり板１３がストッパ９を
容易に越える。その後、カバー５をさらに前進ａさせることより、各後側突条部６ｂが各
ガイド溝４に嵌入され、そのカバー５の前端が上段部１Ａの端面に当たって下段部１Ｂの
操作面８を覆う（図９参照）。
【０００６】
下段部１Ｂの操作釦８ａを操作する場合には、カバー５で下段部１Ｂを覆っている状態
（図９参照）から、該カバー５を指部で押して当たり板１３がストッパ９に当たるまで後
進ｂさせ、図１４に示すように、操作面８を露出させる。
【特許文献１】特開平１１−９８５８３号公報
【考案の開示】
【考案が解決しようとする課題】
【０００７】
上記従来の構成では、下段部１Ｂを覆っているカバー５を指部で押して当たり板１３が
ストッパ９に当たるまで後進ｂさせて操作面８を露出させた状態では、図１４に示すよう
に、後側突条部６ｂがガイド溝４から離脱しているので、カバー５を後進ｂ側に押す力が
強いときには、カバー５の後部が浮き上がって当たり板１３がストッパ９を乗り越え、そ
のカバー５がケーシング１から不測に外れるおそれがある〔図１４（ａ）仮想線参照〕。
【０００８】
本考案は、上記従来の欠点に鑑み、下段部の操作面を露出させるために後進させたカバ
ーがケーシングから不測に外れないようにした遠隔操作装置を提供することを目的として
いる。
【課題を解決するための手段】
【０００９】
上記目的を達成するため、請求項１に記載の考案は、遠隔操作部を内蔵した合成樹脂製
矩形箱状ケーシングの上部が上段部と下段部とに分けられ、該下段部の両側縁にガイド溝
が形成されると共に、その下段部を覆う合成樹脂製カバーの両側縁に前記各ガイド溝に嵌
入可能な突条部が形成され、該各突条部の中央を切欠いて切欠部を形成することにより、
その各突条部が前後に２分割され、前記下段部の上面の前側に操作面が形成されると共に
、その下段部の上面の後側にストッパが一体突設され、該ストッパに対向して前記カバー
の下面に当たり板が一体突設されており、各前側突条部を各ガイド溝に嵌入させ、カバー
を前進させて当たり板がストッパを越えた後に各後側突条部を各ガイド溝に嵌入させ、カ
バーをさらに前進させて下段部の操作面を覆うように形成され、その覆っている状態から
カバーを当たり板がストッパに当たるまで後進させて下段部の操作面を露出させるように
した遠隔操作装置において、前記カバーを後進させて下段部の操作面を露出させた後に各
後側突条部が各ガイド溝から離脱する直前に該カバーの後進を阻止する後進阻止手段が設
けられ、該後進阻止手段が、前記ストッパから前側に所定間隔だけ延びてケーシングに一
体突設されたストッパ分岐部からなっており、カバーを後進させ各後側突条部が各ガイド
溝から離脱する直前に当たり板がストッパ分岐部に当たってカバーの後進を阻止するよう
にしたことを特徴としている。
【００１０】
請求項２に記載の考案は、遠隔操作部を内蔵した合成樹脂製矩形箱状ケーシングの上部
が上段部と下段部とに分けられ、該下段部の両側縁にガイド溝が形成されると共に、その
下段部を覆う合成樹脂製カバーの両側縁に前記各ガイド溝に嵌入可能な突条部が形成され
、該各突条部の中央を切欠いて切欠部を形成することにより、その各突条部が前後に２分
割され、前記下段部の上面の前側に操作面が形成されると共に、その下段部の上面の後側
にストッパが一体突設され、該ストッパに対向して前記カバーの下面に当たり板が一体突
設されており、各前側突条部を各ガイド溝に嵌入させ、カバーを前進させて当たり板がス
トッパを越えた後に各後側突条部を各ガイド溝に嵌入させ、カバーをさらに前進させて下
段部の操作面を覆うように形成され、その覆っている状態からカバーを当たり板がストッ
パに当たるまで後進させて下段部の操作面を露出させるようにした遠隔操作装置において
、前記カバーを後進させて下段部の操作面を露出させた後に各後側突条部が各ガイド溝か
ら離脱する直前に該カバーの後進を阻止する後進阻止手段が設けられ、該後進阻止手段が
、前記当たり板から後側に所定間隔だけ延びてカバーに一体突設された当たり板分岐部か
らなっており、カバーを後進させ各後側突条部が各ガイド溝から離脱する直前に当たり板
分岐部がストッパに当たってカバーの後進を阻止するようにしたことを特徴としている。
【００１１】
請求項３に記載の考案は、遠隔操作部を内蔵した合成樹脂製矩形箱状ケーシングの上部
が上段部と下段部とに分けられ、該下段部の両側縁にガイド溝が形成されると共に、その
下段部を覆う合成樹脂製カバーの両側縁に前記各ガイド溝に嵌入可能な突条部が形成され
、該各突条部の中央を切欠いて切欠部を形成することにより、その各突条部が前後に２分
割され、前記下段部の上面の前側に操作面が形成されると共に、その下段部の上面の後側
にストッパが一体突設され、該ストッパに対向して前記カバーの下面に当たり板が一体突
設されており、各前側突条部を各ガイド溝に嵌入させ、カバーを前進させて当たり板がス
トッパを越えた後に各後側突条部を各ガイド溝に嵌入させ、カバーをさらに前進させて下
段部の操作面を覆うように形成され、その覆っている状態からカバーを当たり板がストッ
パに当たるまで後進させて下段部の操作面を露出させるようにした遠隔操作装置において
、前記カバーを後進させて下段部の操作面を露出させた後に各後側突条部が各ガイド溝か
ら離脱する直前に該カバーの後進を阻止する後進阻止手段が設けられていることを特徴と
している。
【００１２】
請求項４に記載の考案は、請求項３に記載の考案において、前記後進阻止手段が、前記
ストッパから前側に所定間隔だけ延びてケーシングに一体突設されたストッパ分岐部から
なっており、カバーを後進させ各後側突条部が各ガイド溝から離脱する直前に当たり板が
ストッパ分岐部に当たってカバーの後進を阻止するようにしたことを特徴としている。
【００１３】
請求項５に記載の考案は、請求項３に記載の考案において、前記後進阻止手段が、前記
当たり板から後側に所定間隔だけ延びてカバーに一体突設された当たり板分岐部からなっ
ており、カバーを後進させ各後側突条部が各ガイド溝から離脱する直前に当たり板分岐部
がストッパに当たってカバーの後進を阻止するようにしたことを特徴としている。
【００１４】
請求項６に記載の考案は、請求項３に記載の考案において、前記後進阻止手段が、当初
の位置から後側に所定間隔だけ位置ずれさせた当たり板からなっており、カバーを後進さ
せ各後側突条部が各ガイド溝から離脱する直前に当たり板がストッパに当たってカバーの
後進を阻止するようにしたことを特徴としている。
【考案の効果】
【００１５】
請求項１に記載の考案は、第１の実施の形態（図１〜図４参照）に対応するものであっ
て、これによれば、ケーシングの下段部を覆っているカバーを押して後進させることによ
り、該下段部の操作面を露出させた後、各後側突条部が各ガイド溝から離脱する直前に、
当たり板がストッパ分岐部に当たってカバーの後進を阻止するので、従来のようにカバー
の後部が浮き上がって当たり板がストッパを乗り越えることがなくなり、カバーがケーシ
ングから不測に外れないようにすることができ、特に、既存のケーシングにストッパ分岐
部を追加しているだけであり、その追加分が少ないから、ケーシングの金型にわずかな変
更を加えるだけでよく、金型代が安くつく。
【００１６】
請求項２に記載の考案は、第２の実施の形態（図５及び図６参照）に対応するものであ
って、これによれば、ケーシングの下段部を覆っているカバーを押して後進させることに
より、該下段部の操作面を露出させた後、各後側突条部が各ガイド溝から離脱する直前に
、当たり板分岐部がストッパに当たってカバーの後進を阻止するので、従来のようにカバ
ーの後部が浮き上がって当たり板がストッパを乗り越えることがなくなり、カバーがケー
シングから不測に外れないようにすることができ、特に、既存のカバーに当たり板分岐部
を追加しているだけであり、その追加分が少ないから、カバーの金型にわずかな変更を加
えるだけでよく、金型代が安くつく。
【００１７】
請求項３に記載の考案は、基本形態に対応するものであって、これによれば、ケーシン
グの下段部を覆っているカバーを押して後進させることにより、該下段部の操作面を露出
させた後、各後側突条部が各ガイド溝から離脱する直前に、後進阻止手段によりカバーの
後進を阻止するので、従来のようにカバーの後部が浮き上がって当たり板がストッパを乗
り越えることがなくなり、カバーがケーシングから不測に外れないようにすることができ
る。
【００１８】
請求項４に記載の考案によれば、後進阻止手段としてストッパから前側に所定間隔だけ
延びるストッパ分岐部をケーシングに一体突設しただけであり、既存のケーシングにスト
ッパ分岐部を追加するだでよく、その追加分が少ないから、ケーシングの金型にわずかな
変更を加えるだけでよく、金型代が安くつく。
【００１９】
請求項５に記載の考案によれば、後進阻止手段として当たり板から後側に所定間隔だけ
延びる当たり板分岐部をカバーに一体突設しただけであり、既存のカバーに当たり板分岐
部を追加するだでよく、その追加分が少ないから、カバーの金型にわずかな変更を加える
だけでよく、金型代が安くつく。
【００２０】
請求項６に記載の考案によれば、後進阻止手段である当たり板を当初の位置から後側に
所定間隔だけ位置ずれさせただけであり、既存のカバーの当たり板を位置変更させるだけ
でよく、その変更分が少ないから、カバーの金型にわずかな変更を加えるだけでよく、金
型代が安くつく。
【考案を実施するための最良の形態】
【００２１】
図１及び図２は本考案の第１の実施の形態であるリモコン（遠隔操作装置）を示すもの
であって、ストッパ９の前面中央から前側に所定間隔α（例えば８ｍｍ）だけ延びるスト
ッパ分岐部（後進阻止手段）９ａがケーシング１に一体突設されており、カバー５を後進
ｂさせ各後側突条部６ｂが各ガイド溝４から離脱する直前に当たり板１３がストッパ分岐
部９ａに当たってカバー５の後進ｂを阻止するようにした。上記以外の構成は図８〜図１
４に示す構成とほぼ同じであるから、同一部分に同一符号を付してその説明を省略する。
【００２２】
カバー５の嵌合手順を説明すると、図３に示すように、各前側突条部６ａを各ガイド溝
４に嵌入させ、カバー５を前進ａさせて当たり板１３がガイド片１０の傾斜状上面に当た
るときには、各後側突条部６ｂが各ガイド溝４に嵌入していないので、当たり板１３がガ
イド片１０の傾斜状上面に沿ってストッパ９上まで押し上げられることにより、カバー５
の後部が持ち上げられ〔図３（ａ）仮想線参照〕、その当たり板１３がストッパ９を容易
に越えると共に、各後側突条部６ｂが各ガイド溝４に嵌入され、そのカバー５の前端が上
段部１Ａの端面に当たって下段部１Ｂの操作面８を覆う（図２参照）。
【００２３】
上記構成によれば、従来（図１３参照）と同様の手順でカバー５をケーシング１に容易
に嵌合させることができる。
【００２４】
下段部１Ｂの操作釦８ａを操作する場合には、カバー５で下段部１Ｂを覆っている状態
（図２参照）から、該カバー５を指部で押して当たり板１３がストッパ分岐部９ａに当た
るまで後進ｂさせ、図４に示すように、操作面８を露出させる。
【００２５】
上記構成によれば、ケーシング１の下段部１Ｂを覆っているカバー５を押して後進ｂさ
せることにより、該下段部１Ｂの操作面８を露出させた後、各後側突条部６ｂが各ガイド
溝４から離脱する直前に〔図４（ｂ）拡大図参照〕、当たり板１３がストッパ分岐部９ａ
に当たってカバー５の後進ｂを阻止するので、従来（図１４参照）のようにカバー５の後
部が浮き上がって当たり板１３がストッパ分岐部９ａ及びストッパ９を乗り越えることが
なくなり、カバー５がケーシング１から不測に外れないようにすることができ、特に、既
存のケーシング１にストッパ分岐部９ａを追加しているだけであり、その追加分が少ない
から、ケーシング１の金型にわずかな変更を加えるだけでよく、金型代が安くつく。
【００２６】
図５及び図６は本考案の第２の実施の形態であるリモコン（遠隔操作装置）を示すもの
であって、当たり板１３の前面中央から後側に所定間隔α（例えば８ｍｍ）だけ延びる当
たり板分岐部（後進阻止手段）１３ａがカバー５の下面に一体突設されており、カバー５
を後進ｂさせ各後側突条部６ｂが各ガイド溝４から離脱する直前に当たり板分岐部１３ａ
がストッパ９に当たってカバー５の後進ｂを阻止するようにした。上記以外の構成は第１
の実施の形態（図１〜図４参照）に示す構成とほぼ同じであるから、同一部分に同一符号
を付してその説明を省略する。
【００２７】
カバー５の嵌合手順は第１の実施の形態とほぼ同じ（図３参照）であるから、同一部分
に同一符号を付してその説明を省略する。
【００２８】
下段部１Ｂの操作釦８ａを操作する場合には、カバー５で下段部１Ｂを覆っている状態
（図２参照）から、該カバー５を指部で押して当たり板分岐部１３ａがストッパ９に当た
るまで後進ｂさせ、図６に示すように、操作面８を露出させる。
【００２９】
上記構成によれば、ケーシング１の下段部１Ｂを覆っているカバー５を押して後進ｂさ
せることにより、該下段部１Ｂの操作面８を露出させた後、各後側突条部６ｂが各ガイド
溝４から離脱する直前に〔図６（ｂ）拡大図参照〕、当たり板分岐部１３ａがストッパ９
に当たってカバー５の後進ｂを阻止するので、従来（図１４参照）のようにカバー５の後
部が浮き上がって当たり板１３がストッパ分岐部９ａ及びストッパ９を乗り越えることが
なくなり、カバー５がケーシング１から不測に外れないようにすることができ、特に、既
存のカバー５に当たり板分岐部１３ａを追加しているだけであり、その追加分が少ないか
ら、カバー５の金型にわずかな変更を加えるだけでよく、金型代が安くつく。
【００３０】
図７は本考案の第３の実施の形態であるリモコン（遠隔操作装置）を示すものであって
、当たり板（後進阻止手段）１３を当初の位置Ｃから後側に所定間隔α（例えば８ｍｍ）
だけ位置ずれさせることにより、カバー５を後進ｂさせ各後側突条部６ｂが各ガイド溝４
から離脱する直前に当たり板１３がストッパ９に当たってカバー５の後進ｂを阻止するよ
うにしたものである。上記以外の構成は第１の実施の形態（図１〜図４参照）に示す構成
とほぼ同じであるから、同一部分に同一符号を付してその説明を省略する。
【００３１】
カバー５の嵌合手順は第１の実施の形態とほぼ同じ（図３参照）であるから、同一部分
に同一符号を付してその説明を省略する。
【００３２】
下段部１Ｂの操作釦８ａを操作する場合には、カバー５で下段部１Ｂを覆っている状態
（図２参照）から、該カバー５を指部で押して当たり板１３がストッパ９に当たるまで後
進ｂさせ、図７に示すように、操作面８を露出させる。
【００３３】
上記構成によれば、後進阻止手段である当たり板１３を当初の位置Ｃから後側に所定間
隔αだけ位置ずれさせただけであり、既存のカバー５の当たり板１３を位置変更させるだ
けでよく、その変更分が少ないから、カバー５の金型にわずかな変更を加えるだけでよく
、金型代が安くつく。
【図面の簡単な説明】
【００３４】
【図１】本考案の第１の実施の形態である遠隔操作装置の分解斜視図である。
【図２】（ａ）は同要部の縦断面図、（ｂ）は同要部の水平断面図である。
【図３】（ａ）はカバー嵌合手順を示す縦断面図、（ｂ）は同水平断面図である。
【図４】（ａ）は操作面開放状態を示す縦断面図、（ｂ）は同水平断面図である。
【図５】本考案の第２の実施の形態である遠隔操作装置におけるカバーの下面図である。
【図６】（ａ）は操作面開放状態を示す縦断面図、（ｂ）は同水平断面図である。
【図７】本考案の第３の実施の形態である遠隔操作装置における操作面開放状態を示す縦断面図、（ｂ）は同状態の水平断面図である。
【図８】従来例を示す分解斜視図である。
【図９】（ａ）は同要部の縦断面図、（ｂ）は同要部の水平断面図である。
【図１０】図９のＡ−Ａ矢視図である。
【図１１】図９のＢ−Ｂ矢視図である。
【図１２】同カバーの下面図である。
【図１３】（ａ）はカバー嵌合手順を示す縦断面図、（ｂ）は同手順の水平断面図である。
【図１４】（ａ）は操作面開放状態を示す縦断面図、（ｂ）は同状態の水平断面図である。
【符号の説明】
【００３５】
１        ケーシング
１Ａ      上段部
１Ｂ      下段部
４        ガイド溝
５        カバー
６        突条部
６ａ      前側突条部
６ｂ      後側突条部
７        切欠部
８        操作面
９        ストッパ
９ａ      ストッパ分岐部
１３      当たり板
１３ａ    当たり板分岐部
Ｃ        当初の位置
α        所定間隔
【図１】
0003110953.tif 000003
【図２】
0003110953.tif 000004
【図３】
0003110953.tif 000005
【図４】
0003110953.tif 000006
【図５】
0003110953.tif 000007
【図６】
0003110953.tif 000008
【図７】
0003110953.tif 000009
【図８】
0003110953.tif 000010
【図９】
0003110953.tif 000011
【図１０】
0003110953.tif 000012
【図１１】
0003110953.tif 000013
【図１２】
0003110953.tif 000014
【図１３】
0003110953.tif 000015
【図１４】
0003110953.tif 000016